(57)【要約】【課題】荷物を保温保冷した状態で荷捌きすることができ、安価に設置することができる可動式保温保冷設備を提供する。【解決手段】可動式保温保冷設備１０Ａは、可動式保温保冷室１０と、可動式保温保冷室１０に設置された空調機１５とを備えている。可動式保温保冷室１０に、各々が開閉扉１６ａ、１６ｂ、１６ｃを有する第１の出入口１２ａ、第２の出入口１２ｂ、第３の出入口１２ｃが設けられている。可動式保温保冷室１０には車輪１３が設けられ、可動式保温保冷室１０は駆動車両１７に連結されて移動可能となっている。【選択図】図３
2016078863.tif 000002
【特許請求の範囲】
【請求項１】
可動式保温保冷室と、
この保温保冷室に設置された空調機とを備え、
前記保温保冷室に、各々が開閉扉を有する第１の出入口および第２の出入口が設けられていることを特徴とする可動式保温保冷設備。
【請求項２】
前記保温保冷室に、開閉扉を有する第３の出入口が設けられていることを特徴とする請求項１記載の可動式保温保冷設備。
【請求項３】
請求項１記載の可動式保温保冷設備の使用方法において、
第１の出入口に第１のトラックを隣接させて、前記第１のトラック内の荷物を第１の出入口から前記可動式保温保冷室内へ搬入する工程と、
第２の出入口に第２のトラックを隣接させて、前記可動式保温保冷室内の荷物を第２の出入口から第２のトラックへ搬出する工程と、
を備えたことを特徴とする可動式保温保冷設備の使用方法。
【請求項４】
請求項２記載の可動式保温保冷設備の使用方法において、
第１の出入口に第１のトラックを隣接させて、前記第１のトラック内の荷物を第１の出入口から前記可動式保温保冷室内へ搬入する工程と、
第２の出入口に第２のトラックを隣接させて、前記可動式保温保冷室内の荷物を第２の出入口から第２のトラックへ搬出させる工程と、
第３の出入口に第３のトラックを隣接させて、前記可動式保温保冷室内の荷物を第３の出入口から第３のトラックへ搬出させる工程と、
を備えたことを特徴とする可動式保温保冷設備の使用方法。
【発明の詳細な説明】
【技術分野】
【０００１】
本発明は荷物を保温保冷した状態で荷捌きすることができ、かつ安価に設置することが可能な可動式保温保冷設備およびその使用方法に関する。
【背景技術】
【０００２】
一般に医薬品等温度管理が必要な商品（荷物）を輸送する場合、空調機を有する空調車により輸送している。このような場合、はじめに荷物を大量にトラックに積み込んだ後、別のトラックに荷物を積み替えて小口配送することがある。
【０００３】
荷物の積み替えに際しては、ドックシェルターの付いた空調倉庫を用いてトラックからトラックへ積み替えを実施している。
【０００４】
しかしながらドックシェルターの付いた空調倉庫は高額となるため、一時的に空調機のない場所で荷物の積み替え（荷捌き）をすることがあり、荷物の積み替え時に適切な温度管理を行なうことができない場合がある。
【発明の概要】
【発明が解決しようとする課題】
【０００５】
本発明はこのような点を考慮してなされたものであり、荷物を保温保冷した状態で荷捌きすることができ、かつ安価に設置することが可能な可動式保温保冷設備およびその使用方法を提供することを目的とする。
【課題を解決するための手段】
【０００６】
本発明は、可動式保温保冷室と、この保温保冷室に設置された空調機とを備え、前記保温保冷室に、各々が開閉扉を有する第１の出入口および第２の出入口が設けられていることを特徴とする可動式保温保冷設備である。
【０００７】
本発明は、前記保温保冷室に、開閉扉を有する第３の出入口が設けられていることを特徴とする可動式保温保冷設備である。
【０００８】
本発明は、上記記載の可動式保温保冷設備の使用方法において、第１の出入口に第１のトラックを隣接させて、前記第１のトラック内の荷物を第１の出入口から前記可動式保温保冷室内へ搬入する工程と、第２の出入口に第２のトラックを隣接させて、前記可動式保温保冷室内の荷物を第２の出入口から第２のトラックへ搬出する工程と、を備えたことを特徴とする可動式保温保冷設備の使用方法である。
【０００９】
本発明は、上記記載の可動式保温保冷設備の使用方法において、第１の出入口に第１のトラックを隣接させて、前記第１のトラック内の荷物を第１の出入口から前記可動式保温保冷室内へ搬入する工程と、第２の出入口に第２のトラックを隣接させて、前記可動式保温保冷室内の荷物を第２の出入口から第２のトラックへ搬出させる工程と、第３の出入口に第３のトラックを隣接させて、前記可動式保温保冷室内の荷物を第３の出入口から第３のトラックへ搬出させる工程と、を備えたことを特徴とする可動式保温保冷設備の使用方法である。
【発明の効果】
【００１０】
以上のように本発明によれば、荷物を保温保冷した状態で荷捌きすることができ、かつ安価に設置することができる。
【図面の簡単な説明】
【００１１】
【図１】図１は本発明による可動式保温保冷設備の実施の形態を示す概略平面図。
【図２】図２は本発明による可動式保温保冷設備の実施の形態を示す概略側面図。
【図３】図３は本発明による可動式保温保冷設備の実施の形態を示す概略斜視図。
【図４】図４は本発明による可動式保温保冷設備の実施の形態を示す詳細な斜視図。
【図５】図５は本発明による可動式保温保冷設備の実施の形態を示す詳細な側面図。
【発明の実施の形態】
【００１２】
以下、図面を参照して本発明の実施の形態について説明する。
【００１３】
ここで図１乃至図５は、本発明による可動式保温保冷設備の実施の形態を示す図である。
【００１４】
図１乃至図５に示すように、可動式保温保冷設備１０Ａは、可動式保温保冷室１０と、この保温保冷室１０の前面側に設けられた空調機１５とを備えている。
【００１５】
また保温保冷室１０の一方の側面には、３つの出入口、すなわち第１の出入口１２ａと、第２の出入口１２ｂと、第３の出入口１２ｃが設けられ、これら第１の出入口１２ａと、第２の出入口１２ｂと、第３の出入口１２ｃには各々開閉扉１６ａ、１６ｂ、１６ｃが取付けられている。そしてこれら第１の出入口１２ａ、第２の出入口１２ｂおよび第３の出入口１２ｃは、いずれも同一の形状をもつ。
【００１６】
ところで可動式保温保冷室１０は、後方側下部に設けられた車輪１３を有し、可動式保温保冷室１０はその前方側において駆動車両１７に連結され、この駆動車両１７によって可動式保温保冷室１０を所望の場所まで運ぶことができる（図３参照）。
【００１７】
また可動式保温保冷室１０の前方側下部には伸縮自在の可動支持体１４が設けられ、この可動支持体１４は、可動式保温保冷室１０に取り付けられた駆動部１４ａと、この駆動部１４ａから下方へ伸縮自在に延びる伸縮部１４ｂとを有する。この伸縮自在の可動支持体１４の伸縮部１４ｂは、駆動車両１７によって可動式保温保冷室１０を移動させる際、上方へ引っ込められている。そして可動式保温保冷室１０が駆動車両１７によって所望の場所まで運ばれた際、伸縮自在の可動支持体１４の伸縮部１４ｂが下方へ延ばされて地上に接地され、駆動車両１７と保温保冷室１０とが切離される。
【００１８】
次にこのような構成からなる本実施の形態の作用、すなわち可動式保温保冷設備の使用方法について説明する。
【００１９】
まず可動式保温保冷室１０がその前方側において駆動車両１７に連結され、この駆動車両１７によって可動式保温保冷室１０が所望の荷捌き場所まで運ばれる。
【００２０】
この場合、可動式保温保冷室１０の可動支持体１４の伸縮部１４ｂは、上方へ引っ込められている。
【００２１】
次に可動式保温保冷室１０が所望の荷捌き場所まで運ばれた後、可動支持体１４の伸縮部１４ｂが下方へ延ばされて地上に接地される。その後駆動車両１７と可動式保温保冷室１０とが切離され、可動式保温保冷室１０は、車輪１３と可動支持体１４とにより地上に支持固定される。
【００２２】
次に可動式保温保冷室１０を用いて荷捌き作業が実施される。
【００２３】
具体的には、第１の出入口１２ａに第１のトラック２０ａが隣接し、第１の出入口１２ａの開閉扉１６ａが開となって、第１のトラック２０ａ内の荷物が可動式保温保冷室１０内へ搬入される。
【００２４】
この場合、可動式保温保冷室１０の後面に移動階段１９が設置され、この移動階段１９を介して作業者が後面扉１６ｄを経て可動式保温保冷室１０内へ入ることができる。そして作業者は可動式保温保冷室１０内で第１のトラック２０ａから荷物を搬入する。
【００２５】
次に可動式保温保冷室１０の第２の出入口１２ｂおよび第３の出入口１２ｃに、各々第２のトラック２０ｂおよび第３のトラック２０ｃが隣接する。その後、可動式保温保冷室１０内では、作業者が第１のトラック２０ａから搬入された荷物を区分けする。次に開閉扉１６ｂ、開閉扉１６ｃを開とし、区分けされた荷物を可動式保温保冷室１０から第２の出入口１２ｂおよび第３の出入口１２ｃを介して、それぞれ第２のトラック２０ｂおよび第３のトラック２０ｃ内へ搬出する。
【００２６】
この際、例えば荷物が冷温の温度管理を必要とする医薬品の場合、第１のトラック２０ａからＡ市向けの医薬品が第１の出入口１２ａを介して可動式保温保冷室１０内に搬入される。
【００２７】
保温保冷室１０内では、このＡ市向けの医薬品がＡ市のａ町およびｂ町向けの医薬品に分類される。
【００２８】
次に第２の出入口１２ｂおよび第３の出入口１２ｃの開閉扉１６ｂ、１６ｃが開となり、Ａ市のａ町向けの医薬品が可動式保温保冷室１０から第２の出入口１２ｂを介して第２のトラック２０ｂへ搬出される。同様にＡ市のｂ町向けの医薬品が可動式保温保冷室１０から第３の出入口１２ｃを介して第３のトラック２０ｃへ搬出される。
【００２９】
このようにして第１のトラック２０ａにより運ばれたＡ市向けの医薬品を可動式保温保冷室１０内で分類して、Ａ市のａ町向けの医薬品を第２のトラック２０ｂへ搬出し、Ａ市のｂ町向けの医薬品を第３のトラック２０ｃへ搬出する荷捌き作業をスムースに実施することができる。
【００３０】
この間、可動式保温保冷室１０内は空調機１５により所望の低温に維持されるため、可動式保温保冷室１０内において医薬品を適切に温度管理することができる。
【００３１】
その後、第２のトラック２０ｂおよび第３のトラック２０ｃが可動式保温保冷室１０から離れ、各々Ａ市のａ町およびＡ市のｂ町へ医薬を搬送することができる。
【００３２】
以上のように本実施の形態によれば、可動式保温保冷室１０内で荷物を保温保冷した状態に保ちながら荷捌きをスムースに実施することができる。また可動式保温保冷室１０を駆動車両１７を用いて所望の荷捌き場所まで容易かつ簡単に移送することができるため、荷捌き場所毎に高価な空調倉庫を設ける必要はなく、容易かつ安価な荷捌きを実施することができる。
【００３３】
なお上記実施の形態において、可動式保温保冷室１０が、同一形状をもつ３つの第１の出入口１２ａ、第２の出入口１２ｂおよび第３の出入口１２ｃを有する例を示したが、これに限らず４つ以上の出入口を設けてもよく、出入口のうちの搬入用出入口の形状を他の搬出用出入口より大きくしてもよい。さらにまた、第１の出入口１２ａおよび第２の出入口１２ｂの二つの出入口のみを設けても良い。
【符号の説明】
【００３４】
１０  可動式保温保冷室
１０Ａ  可動式保温保冷設備
１２ａ  第１の出入口
１２ｂ  第２の出入口
１２ｃ  第３の出入口
１３  車輪
１４  可動支持体
１４ａ  駆動部
１４ｂ  伸縮部
１５  空調機
１６ａ、１６ｂ、１６ｃ  開閉扉
１７  駆動車両
１９  移動階段
２０ａ  第１のトラック
２０ｂ  第２のトラック
２０ｃ  第３のトラック
【図１】
2016078863.tif 000003
【図２】
2016078863.tif 000004
【図３】
2016078863.tif 000005
【図４】
2016078863.tif 000006
【図５】
2016078863.tif 000007